(57)【特許請求の範囲】
【請求項１】
警報回路であって：
入力信号を受信するために結合される第１入力，第２入力および出力を有する比較器（１３）；
第１基準信号を受信するために結合される第１入力，第２基準信号を受信するために結合される第２入力，選択信号を受信するために結合される第３入力，および前記比較器（１３）の前記第２入力と結合される出力を有するマルチプレクサ（１４）；および
前記比較器（１３）の前記出力と結合される入力，前記選択信号を発生する第１出力，および警報を制御するための制御信号を発生する第２出力を有する制御回路（１６）；
を備え、
前記制御回路は、消音信号に応答して前記警報を非アクティブにして、前記警報回路を消音動作モードで動作させ、前記選択信号に従って前記マルチプレクサにより前記第２基準信号が選択され、かつ前記入力信号の大きさが、前記第２基準信号の大きさを上回るとき、前記警報をアクティブにして、前記警報回路を消音動作モードから警報動作モードに移行させ、前記選択信号に従って前記マルチプレクサにより前記第１基準信号が選択され、かつ前記入力信号の大きさが、前記第１基準信号の大きさを下回るとき、前記警報を非アクティブに維持しつつ、前記警報回路を前記消音動作モードから待機動作モードに移行させることを特徴とする警報回路。
【請求項２】
警報回路を制御する方法であって、警報回路は、比較器と、該比較器に接続された制御回路とを含み、方法は、
入力信号が、第１基準信号の大きさを上回ったとの前記比較器による比較結果の後、前記制御回路が前記警報回路を警報動作モードで動作させ、警報は、前記警報動作モード中にアクティブにされる段階；
消音信号が受信された後、前記制御回路が前記警報回路を消音動作モードで動作させ、前記警報は、前記警報動作モード中、非アクティブにされる段階；
前記消音動作モード中、前記入力信号を前記比較器を用いて前記第１基準信号又は第２基準信号と比較する段階；
前記入力信号の大きさが、前記第２基準信号の大きさを上回るとの前記比較器による比較結果が得られたとき、前記制御回路が前記警報をアクティブにして、前記警報回路を前記消音動作モードから前記警報動作モードに移行させる段階；
前記入力信号の大きさが、前記第１基準信号の大きさを下回るとの前記比較器による比較結果が得られたとき、前記制御回路が前記警報を非アクティブに維持しつつ、前記警報回路を前記消音動作モードから待機動作モードに移行させる段階；
を備えることを特徴とする方法。
【発明の詳細な説明】
【０００１】
【産業上の利用分野】
本発明は、一般に警報に関し、さらに詳しくは、警報を制御する回路に関する。
【０００２】
【従来の技術】
従来の煙感知器は、ある区域内の煙濃度が、予め定められた最小閾値レベルを超えた後、警報音を発生する。調理または喫煙者からの煙が、迷惑な警報または誤った警報を発生する可能性がある。したがって、多くの煙感知器は、煙感知器の音を一時的に消すための消音機能を含む。
【０００３】
上記消音機能は、押しボタンによって起動でき、これにより、予め定められた時間、例えば、１５分間にわたり、煙感知器を非アクティブにできる。この期間中、煙状況は通常、消失し、消音期間の終了時に、感知器は、通常の動作モードに復帰する。
【０００４】
一部の先行技術の煙感知器は、煙感知器を動作不能にすることによって、消音機能を実現する。消音機能をアクティブにした後、万一、危険な火災が発生する場合には、これは、危険となる可能性がある。他の先行技術の煙感知器は、警報を発生するのに必要な煙閾値水準を増加する。これは、消音動作モード中、感知器の煙感度を減少させるので望ましくない。さらに、これらの先行技術の煙感知器は、消音モードを解除する手段を提供せず、予め定められた一定期間にわたって消音モードを維持する。
【０００５】
【発明が解決しようとする課題】
したがって、警報回路を一時的に消音する消音機能を含む警報回路を有することは利点がある。また、警報回路が、消音期間中も、動作可能状態を維持することはさらに利点がある。加えて、警報回路が、消音期間が切れる前に、消音機能を解除する機能を有することは利点がある。
【０００６】
【実施例】
図１は、本発明の１実施例による警報回路１０のブロック図である。警報回路１０は、以下の用途での使用に適する：煙感知器，熱感知器，振動感知器，動作感知器，水位感知器，ガス漏れ警報，傾斜警報（tilt alarm）およびドア・アラーム。
【０００７】
図１に示される実施例では、警報回路１０は、煙感知を行うセンサ１１を含む。センサ１１は、ＤＥＴＥＣＴと称される入力信号を発生し、信号ＤＥＴＥＣＴの大きさは、センサ１１によって感知される煙の量に比例する。例として、信号ＤＥＴＥＣＴの電圧は、煙の量が増加するにつれて増加する。他方、信号ＤＥＴＥＣＴの電圧は、煙の量が減少するにつれて低下する。
【０００８】
センサ１１は、検出素子とも言われ、赤外光電センサとすることができ、このセンサでは、煙感知は、煙粒子からの散乱光を感知することによって実現される。また、センサ１１は、イオン・センサとすることもでき、このイオン・センサは、煙濃度をモニタするイオン・チャンバを含む。センサ１１は、煙感知センサとして記述されるが、これは、本発明を制限するものではない。例えば、センサ１１は、振動感知器で使用されるマイクロフォンとすることも可能である。さらに、センサ１１は、加速度計，圧力センサまたは化学センサとすることも可能である。センサ１１のセンサの種類の選択は、警報回路１０の用途に基づく設計者の選択である。
【０００９】
警報回路１０はさらに、信号ＤＥＴＥＣＴを受信するために結合される非反転入力端子と、マルチプレクサ１４の出力端子と接続される反転入力端子とを有する比較器１３を含む。
【００１０】
マルチプレクサ１４は、ＲＥＦ１と称される第１基準信号を受信するために結合される第１入力端子と、ＲＥＦ２と称される第２基準信号を受信するために結合される第２入力端子とを有する。さらに、マルチプレクサ１４は、ＳＥＬＥＣＴと称される電気信号を受信するために結合される第３入力端子を有する。信号ＲＥＦ１または信号ＲＥＦ２は、マルチプレクサ１４の出力端子に経路設定される。この例では、信号ＲＥＦ２の電圧は、信号ＲＥＦ１の電圧を上回る。信号ＳＥＬＥＣＴは、どの基準入力信号（ＲＥＦ１またはＲＥＦ２）が、マルチプレクサ１４の出力端子に送信されるかを決定する。信号ＲＥＦ１は、信号ＳＥＬＥＣＴが、例えば、ゼロ・ボルトの論理低電圧にあるときに、マルチプレクサ１４の出力端子に送信される。他方、信号ＲＥＦ２は、信号ＳＥＬＥＣＴが、例えば、５ボルトの論理高電圧にあるとき、マルチプレクサ１４の出力端子に送信される。論理高電圧は、論理高または論理１とも称され、論理低電圧は、論理低または論理ゼロとも称される。
【００１１】
比較器１３は、非反転入力端子の入力電圧を、反転入力端子の基準電圧と比較して、その出力端子において、ＣＯＭＰＡＲＥと称される信号を発生する。比較器１３の出力端子の信号ＣＯＭＰＡＲＥは、信号ＤＥＴＥＣＴの大きさが、比較器１３の非反転入力端子で受信される基準信号の大きさを上回るか、または下回るかを示す。信号ＣＯＭＰＡＲＥは、信号ＤＥＴＥＣＴの電圧が、比較器１３の反転入力端子の基準電圧を上回るときには、論理高電圧にある。他方、信号ＣＯＭＰＡＲＥは、信号ＤＥＴＥＣＴの電圧が、比較器１３の反転入力端子の基準電圧を下回るときには、論理低電圧である。
【００１２】
警報回路１０はさらに、制御回路１６，発振器１７およびトランスデューサ１９を含む。トランスデューサ１９は、警報音を与えるホーン、または可視警報を与える光とすることができる。制御回路１６は、入力端子２１，２２，２３，２４，２６と、出力端子２７，２８とを有する。入力端子２１は、比較器１３の出力端子と接続される。出力端子２７は、信号ＳＥＬＥＣＴをマルチプレクサ１４に与える。発振器１７は、発振器信号を入力端子２２に与える出力端子を有する。入力端子２３，２４、２６は結合されて、入力信号ＳＥＬＥＮＣＥ，ＲＥＭＯＴＥおよびＲＥＳＥＴを受信する。出力端子２８は、トランスデューサ１９の入力端子と接続される。
【００１３】
アクティブにされると、トランスデューサ１９は、電気信号を音声または光に変換する装置である。制御回路１６は、出力端子２８において、ＡＬＡＲＭと称される電気信号を発生して、トランスデューサ１９をアクティブにする。信号ＡＬＡＲＭは、出力端子２８から、トランスデューサ１９の入力端子に送信される。トランスデューサ１９はアクティブにされ、信号ＡＬＡＲＭがアサートされるとき、すなわち、信号ＡＬＡＲＭが、論理高電圧に遷移するときに、警報を発生する。警報は、警報音または可視警報のいずれかとすることができる。
警報回路１０は、以下の３つの動作モードの１つで動作する：１）待機モード，２）警報モード，または３）消音モード。制御回路１６は、信号ＣＯＭＰＡＲＥ，ＳＩＬＥＮＣＥ，ＲＥＭＯＴＥおよびＲＥＳＥＴを処理して、警報回路１０の動作モードを決定する。制御回路１６は、マイクロプロセッサ，特定用途向けＩＣ（ＡＳＩＣ）またはデジタル信号プロセッサ（ＤＳＰ）とすることができる。
【００１４】
待機モードは、通常の動作モードである。警報回路１０は、煙粒子がセンサ１１によって検出されないか、または微量しか検出されないときに、待機動作モードで動作する。トランスデューサ１９は、非アクティブにされて、オフに維持されて、警報が出されないようにする。さらに詳しくは、待機動作モード中、信号ＳＥＬＥＣＴは、論理低電圧にあって、信号ＲＥＦ１が、比較器１３の反転入力端子に送信される。煙粒子が、センサ１１によって検出されないので、信号ＤＥＴＥＣＴの電圧は、信号ＲＥＦ１の電圧を下回る。このため、信号ＣＯＭＰＡＲＥは、論理低電圧にあり、煙がセンサ１１によって検出されないことを示す。制御回路１６は、信号ＡＬＡＲＭを、論理低電圧に設定し、これにより、トランスデューサ１９を非アクティブにする。
【００１５】
警報回路１０は、予め定められた最小量の煙が、センサ１１によって検出された後、警報動作モードに遷移する。信号ＲＥＦ１の電圧は、この予め定められた最小量の煙に相当する。上述されるように、センサ１１によって検出される煙粒子の量が増加するにつれ、信号ＤＥＴＥＣＴの電圧が増加する。信号ＤＥＴＥＣＴが、信号ＲＥＦ１の電圧を上回る電圧レベルに増加する場合には、信号ＣＯＭＰＡＲＥは、論理低電圧から、論理高電圧に遷移して、予め定められた量の煙が、センサ１１によって検出されたことを示す。これに応答して、制御回路１６は、信号ＡＬＡＲＭを論理高電圧に設定することによって、トランスデューサ１９をアクティブにする。信号ＤＥＴＥＣＴの電圧が、信号ＲＥＦ１の電圧を下回るレベルに低下する場合には、警報回路１０は、待機動作モードに戻る。警報回路１０が、警報モードから待機モードに遷移するとき、制御回路１６は、信号ＡＬＡＲＭを論理低電圧に遷移することによって、トランスデューサ１９をオフにする。
【００１６】
警報動作モードにある間、信号ＳＩＬＥＮＣＥがアサートされる場合、すなわち、論理高電圧に設定される場合には、警報回路１０は、消音動作モードに入り、一時的にトランスデューサ１９を非アクティブにする。特に、信号ＳＩＬＥＮＣＥが論理低電圧から論理高電圧に遷移するとき、制御回路１６は、信号ＡＬＡＲＭを、予め定められた期間、例えば、１０分間にわたって、論理低電圧にプルダウンする。消音動作モードは、次のイベントの１つによって解除または終了できる。１）予め定められた時間の経過，２）信号ＲＥＳＥＴが制御回路１６によって受信されること，３）信号ＲＥＭＯＴＥが制御回路１６によって受信されること，４）信号ＤＥＴＥＣＴの電圧が信号ＲＥＦ２の電圧を上回ること，または５）信号ＤＥＴＥＣＴの電圧が信号ＲＥＦ１の電圧を下回るレベルに低下すること。
【００１７】
基準信号ＲＥＦ１は、警報動作モードと待機動作モードの間で警報回路１０を遷移させる、最小閾値レベルを提供する。さらに、基準信号ＲＥＦ１は、消音動作モードを解除するための予め定められた最小閾値レベルを提供する。基準信号ＲＥＦ２は、消音動作モードを解除するための予め定められた最大閾値レベルを提供する。
【００１８】
消音動作モード中、制御回路１６は、信号ＳＥＬＥＣＴを論理低電圧と論理高電圧との間でトグルして、信号ＤＥＴＥＣＴの電圧が、信号ＲＥＦ１の電圧および信号ＲＥＦ２の電圧の両方と比較される。信号ＤＥＴＥＣＴの電圧が、信号ＲＥＦ１の電圧を下回るレベルに低下する場合には、制御回路１６は、警報回路１０を待機動作モードに切り替える。待機モードにおいて、トランスデューサ１９はオフに維持され、信号ＤＥＴＥＣＴが、基準信号ＲＥＦ１と比較される。信号ＤＥＴＥＣＴの電圧が、信号ＲＥＦ２の電圧を上回るレベルに増加する場合には、制御回路１６は、警報回路１０を警報動作モードに遷移する。トランスデューサ１９がオンになり、信号ＤＥＴＥＣＴが、基準信号ＲＥＦ１と比較される。
【００１９】
制御回路１６は、信号ＲＥＳＥＴが端子２６において受信されるとき、警報回路１０を、消音動作モードから警報モードに遷移する。信号ＲＥＭＯＴＥが、制御回路１６によって受信され、論理高電圧に設定される場合には、消音動作モードが終了する。
【００２０】
警報回路１０は、他の類似する警報回路と相互接続されて、警報ネットワークを設けることができる。ネットワークでは、遠隔の警報装置は、信号ＲＥＭＯＴＥを端子２４に送信できる。信号ＲＥＭＯＴＥが、論理高電圧に設定される場合には、制御回路１６は、警報回路１０を消音動作モードから警報モードに遷移して、トランスデューサ１９をアクティブにし、これにより、消音動作モードを解除する。信号ＲＥＭＯＴＥが制御回路１６によって受信され、論理高電圧に設定されるとき、これは、煙が遠隔警報回路によって検出されたことを示す。
【００２１】
警報回路１０の煙に対する感度は、すべての動作モード中、実質的に同一に維持されることに注意されたい。すなわち、警報回路１０の感度は、警報を発生する最小閾値レベルが、動作中、変化しないので、動作中、減少または低下しない。詳しくは、信号ＲＥＦ１の電圧レベルが変化せず、信号ＤＥＴＥＣＴは、３つの動作モードのすべての間、この予め定められた最小閾値レベルと比較される。
【００２２】
図２は、本発明の別の実施例による警報回路３０の部分的ブロック図と部分的回路図である。図では、同一の要素を表すのに、同一の参照番号が用いられることを理解されたい。警報回路１０（図１）と同様、警報回路３０は、３つの動作モード：１）待機モード，２）警報モード，および３）消音モードを有する。
【００２３】
警報回路３０は、制御回路３６を含み、制御回路は、クロック生成器３１，カウンタ３２，Ｄ型フリップフロップ３３，ＡＮＤゲート３４，３５，３７，３８，３９，ＯＲゲート４１，インバータ４２，４３，４４，４６および論理回路４７によって構成される。フリップフロップ３３は，Ｄと称されるデータ入力端子，ＣＫと称されるクロック入力端子，Ｒと称されるリセット入力端子，およびＱと称される出力端子を有する。フリップフロップ３３は、ラッチ回路であり、低から高への電圧遷移が端子ＣＫで受信されるまで、端子Ｑの信号は、固定された論理状態に維持される。端子ＣＫで低から高への電圧遷移が発生するときには、端子Ｄの電圧は、端子Ｑに合せてクロック（ｃｌｏｃｋ）される。フリップフロップ３３の端子Ｒは、能動高入力端子である。そのため、論理高電圧が、フリップフロップ３３の端子Ｒに送られるとき、フリップフロップ３３の端子Ｑから送信される出力信号は、論理低電圧にリセットされる。
【００２４】
クロック生成器３１は、発振器１７の出力端子と接続される入力端子を有する。さらに、クロック生成器３１は、ＣＬＯＣＫと称されるクロック信号を発生する第１出力端子と、ＳＡＭＰＬＥと称されるクロック信号を発生する第２出力端子とを有する。クロック生成器３１は、発振器１７からの発振器信号を処理して、信号ＣＬＯＣＫおよび信号ＳＡＭＰＬＥを発生する。信号ＳＡＭＰＬＥの周波数は、信号ＣＬＯＣＫの周波数の少なくとも２倍である。この例では、信号ＳＡＭＰＬＥは、１％のデューティ・サイクル（duty cycle）、すなわち、信号ＳＡＭＰＬＥが、その期間の１％にわたり、論理高電圧にある。信号ＣＬＯＣＫは，５０％のデューティ・サイクルである。
【００２５】
クロック生成器３１の第１出力端子は、カウンタ３２のクロック入力端子およびＡＮＤゲート３４の第１入力端子と共通接続される。クロック生成器３１の第２出力端子は、ＡＮＤゲート３５，３７，３８の第１入力端子と共通接続される。
【００２６】
カウンタ３２は、信号ＣＬＯＣＫを受信するために結合されるクロック入力端子、およびＡＮＤゲート３４の第２入力端子と、フリップフロップ３３のＱ端子とに共通接続されるイネーブル入力端子を有する。論理高電圧が、フリップフロップ３３の端子Ｑからそのイネーブルの入力端子に送信されるときに、カウンタ３２がアクティブになる。アクティブにされたとき、カウンタ３２は、予め定められた期間が経過または終了した後、その入力端子に、論理高電圧パルスを発生する。
【００２７】
ＡＮＤゲート３４の出力端子は、出力端子２７と接続されて、信号ＳＥＬＥＣＴを発生する。さらに、ＡＮＤゲート３４の出力端子は、ＡＮＤゲート３５の第３入力端子，インバータ４３の入力端子およびインバータ４４の入力端子と共通接続される。インバータ４３の出力端子は、ＡＮＤゲート３７の第３入力端子と接続され、インバータ４４の出力端子は、ＡＮＤゲート３８の第３入力端子と接続される。
【００２８】
比較器１３の出力端子は、ＡＮＤゲート３５の第２入力端子，インバータ４２の入力端子およびＡＮＤゲート３８の第２入力端子と共通接続される。インバータ４２の出力端子は、ＡＮＤゲート３７の第２入力端子と接続される。
【００２９】
ＯＲゲート４１は、端子２６，カウンタ３２の出力端子，ＡＮＤゲート３５の出力端子およびＡＮＤゲート３７の出力端子に接続される別個の入力端子を有する。さらに、ＯＲゲート４１は、端子２４と、論理回路４７の第１入力端子とに共通接続されるもう１つの入力端子を有する。ＯＲゲート４１の出力端子は、フリップフロップ３３の端子Ｒと接続される。
【００３０】
フリップフロップ３３の端子Ｄは、例えば、電圧ＶDDなど、動作電位または電源電圧の電源を受け取るために結合される。フリップフロップ３３の端子ＣＫは、端子２３と接続される。フリップフロップ３３の端子Ｑは、ＡＮＤゲート３４の第２入力端子，カウンタ３２のイネーブル入力端子およびインバータ４６の入力端子と共通接続される。インバータ４６の出力端子は、ＡＮＤゲート３９の第１入力端子と接続される。論理回路４７の出力端子は、ＡＮＤゲート３９の第２入力端子と接続され、ＡＮＤゲート３９の出力端子は、端子２８と接続される。
【００３１】
ＡＮＤゲート３５，３７の出力端子はそれぞれ、ＨＩＧＨおよびＬＯＷと称される信号を発生する。ＡＮＤゲート３８の出力端子は、論理回路４７の第２入力端子と接続されて、ＭＩＤと称される信号を発生する。信号ＨＩＧＨ，ＬＯＷおよびＭＩＤは，信号ＲＥＦ１およびＲＥＦ２の電圧と比較した信号ＤＥＴＥＣＴの電圧を表す。例えば、信号ＨＩＧＨは、信号ＤＥＴＥＣＴの電圧が信号ＲＥＦ２の電圧を上回るときに、論理高電圧にある。信号ＤＥＴＥＣＴの電圧が信号ＲＥＦ１の電圧を下回るときには、信号ＬＯＷが論理高電圧であり、信号ＤＥＴＥＣＴの電圧が、信号ＲＥＦ１とＲＥＦ２の電圧の間にあるときには、信号ＭＩＤが論理高電圧にある。
【００３２】
論理回路４７は、フリップフロップ３３とともに、信号ＡＬＡＲＭの電圧を制御して、トランスデューサ１９をアクティブにする。論理回路４７は、ＲＥＭＯＴＥ信号とＭＩＤ信号とを受信する。警報動作モードおよび消音動作モード中、信号ＲＥＭＯＴＥまたは信号ＭＩＤのいずれかが、論理高電圧に遷移する場合には、論理回路４７は、警報回路３０が待機動作モードに戻るまで、その出力端子の論理高電圧をラッチする。待機動作モード中、信号ＲＥＭＯＴＥが論理高電圧に遷移する場合には、論理回路４７は、論理高電圧をＡＮＤゲート３９の第２入力端子に送信する。それ以外の場合には、論理回路４７は、論理低電圧をＡＮＤゲート３９の第２入力端子に与える。
【００３３】
警報回路３０を最初にパワー・アップすると直ちに、信号ＳＩＬＥＮＣＥ，ＲＥＭＯＴＥおよびＲＥＳＥＴは論理低電圧になり、警報回路３０は、待機動作モードで動作する。さらに、最初のパワー・アップ中、フリップフロップ３３はリセットされて、フリップフロップ３３の端子Ｑは、論理低電圧を発生する。そのため、信号ＳＥＬＥＣＴは、論理低電圧にあり、比較器１３は、信号ＤＥＴＥＣＴとＲＥＦ１の電圧を比較する。
【００３４】
煙粒子がセンサ１１によって検出されない場合には、信号ＤＥＴＥＣＴの電圧は、信号ＲＥＦ１の電圧を下回る。信号ＤＥＴＥＣＴの電圧が信号ＲＥＦ１の電圧を下回る場合には、信号ＣＯＭＰＡＲＥは論理低電圧にある。信号ＳＥＬＥＣＴと信号ＣＯＭＰＡＲＥは論理低電圧にあるので、信号ＳＡＭＰＬＥが論理高電圧に遷移した後、信号ＨＩＧＨおよび信号ＭＩＤは論理低電圧にあり、信号ＬＯＷは論理高電圧にある。信号ＬＯＷが論理高電圧に遷移するのに応答して、論理高電圧がＯＲゲート４１の出力からフリップフロップ３３の端子Ｒに送られる。これが、フリップフロップ３３をリセットして、端子Ｑの出力信号の電圧が、論理低電圧に維持される。信号ＲＥＭＯＴＥおよび信号ＭＩＤはともに、論理低電圧にあるので、論理回路４７は、論理低電圧を有する出力信号を発生する。これによって、信号ＡＬＡＲＭは論理低電圧になり、これにより、トランスデューサ１９を非アクティブにする。
【００３５】
警報回路３０は、センサ１１により検出される煙の量が、予め定められた最小閾値レベルを超えて増加した後、警報動作モードに遷移する。信号ＲＥＦ１の電圧は、この予め定められた最小閾値レベルに相当する。既述されるように、センサ１１により検出される煙粒子の量が増加するにつれ、信号ＤＥＴＥＣＴの電圧が増加する。信号ＤＥＴＥＣＴが、信号ＲＥＦ１の電圧を超える電圧レベルに増加する場合には、信号ＣＯＭＰＡＲＥは、論理高電圧に遷移し、警報回路３０は警報動作モードに入る。
【００３６】
フリップフロップ３３の端子Ｑから送信される出力信号の電圧が、論理低電圧に維持されるのは、フリップフロップ３３の端子ＣＫでは、電圧遷移が生じないからである。このため、信号ＳＥＬＥＣＴは、論理低電圧に維持される。信号ＳＥＬＥＣＴは、論理低電圧にあり、信号ＣＯＭＰＡＲＥは論理高電圧にあるので、信号ＳＡＭＰＬＥが論理高電圧に遷移した後、信号ＨＩＧＨおよびＬＯＷは、論理低電圧にあり、信号ＭＩＤは論理高電圧にある。信号ＭＩＤが論理高電圧に遷移するのに応答して、論理高電圧が、論理回路４７の出力からＡＮＤゲート３９の第２入力へと送られる。これにより、信号ＡＬＡＲＭが論理高電圧になり、これにより、トランスデューサ１９をアクティブにする。
【００３７】
警報動作モード中、信号ＳＩＬＥＮＣＥが論理高電圧に設定される場合には、警報回路３０は消音動作モードに遷移し、トランスデューサ１９によって発生される警報が阻止される。さらに詳しくは、信号ＳＩＬＥＮＣＥが、論理高電圧に設定される場合には、フリップフロップ３３の端子Ｑから送信される出力信号は、論理高電圧に遷移する。これにより、信号ＡＬＡＲＭは論理低電圧に遷移し、これにより、トランスデューサ１９を非アクティブにする。さらに、信号ＣＬＯＣＫは、論理低と論理高に交互になるので、信号ＳＥＬＥＣＴは、論理低電圧と論理高電圧との間でトグルする。したがって、消音動作モード中、信号ＤＥＴＥＣＴの電圧が、信号ＲＥＦ１の電圧および信号ＲＥＦ２の電圧と比較される。
【００３８】
信号ＳＩＬＥＮＣＥが論理高電圧に遷移した後、カウンタ３２がアクティブにされて、予め定められた時間の後、例えば、１０分後に、消音動作モードは、カウンタ３２の出力端子から論理高電圧パルスを送ることによって解除される。この論理高電圧パルスは、ＯＲゲート４１を介して、フリップフロップ３３の端子Ｒに送られて、端子Ｑの出力信号が論理低電圧にリセットされ、これにより、トランスデューサ１９をアクティブにする。
【００３９】
既述されるように、消音動作モードは、次のイベントの１つによって解除できる。１）予め定められた時間の経過，２）信号ＲＥＳＥＴが論理高電圧に設定されること，３）信号ＲＥＭＯＴＥが論理高電圧に設定されること，４）信号ＤＥＴＥＣＴの電圧が信号ＲＥＦ２の電圧を超えること、または５）信号ＤＥＴＥＣＴの電圧が、信号ＲＥＦ１の電圧を下回るレベルに低下すること。特に、消音動作モードは、ＯＲゲート４１の入力端子の信号のいずれかが、論理高電圧に遷移するときに、解除される。論理高電圧が、ＯＲゲート４１の出力端子からフリップフロップ３３の端子Ｒに送信される場合には、端子Ｑからの出力信号の電圧が、論理低電圧に遷移して、信号ＡＬＡＲＭの電圧は、論理回路４７の出力信号の電圧の関数になるようにする。
【００４０】
信号ＲＥＳＥＴおよびＳＩＬＥＮＣＥは、スイッチ（図示されない）によって制御でき、利用者は、信号ＳＩＬＥＮＣＥをアサートすることによって、警報回路３０を消音モードにするか、または信号ＲＥＳＥＴをアサートすることによって、消音モードを解除できる。信号ＲＥＭＯＴＥは、既述されるように、遠隔警報回路によって制御できる。
【００４１】
消音モード中、信号ＳＥＬＥＣＴが論理低電圧であって、信号ＤＥＴＥＣＴの電圧が、信号ＲＥＦ１の電圧を下回るレベルに低下する場合には、信号ＬＯＷは論理高電圧に遷移する。制御回路は、警報回路３０を消音モードから待機動作モードに遷移する。論理回路４７の出力端子からの出力信号の電圧は、待機モードに遷移することに応答して、論理低に遷移する。トランスデューサ１９は、信号ＡＬＡＲＭが論理低電圧に維持されるので、非アクティブに保たれる。
【００４２】
さらに、消音モード中、信号ＳＥＬＥＣＴが論理高電圧にあり、信号ＤＥＴＥＣＴの電圧が、信号ＲＥＦ２の電圧を上回るレベルに増加する場合には、信号ＨＩＧＨが論理高電圧に遷移する。制御回路３６は、消音モードから警報動作モードへと、警報回路３０を遷移する。信号ＡＬＡＲＭが、論理低電圧から論理高電圧へと遷移するので、トランスデューサ１９はアクティブにされる。
【００４３】
以上から、警報回路および警報回路を制御する方法が設けられることを理解されたい。警報回路とその方法は、煙感知機を含む多くの異なる用途で使用できる。この警報回路の利点は、予め定められた期間にわたり、一時的に警報を非アクティブにするための消音機能を提供することである。予め定められた期間が切れる前に、消音機能を解除することもできる。
【図面の簡単な説明】
【図１】  本発明の１実施例による警報回路のブロック図である。
【図２】  本発明の別の実施例による警報回路の部分的ブロック図と、部分的回路図である。
【符号の説明】
１０  警報回路
１１  センサ
１３  比較器
１４  マルチプレクサ
１６  制御回路
１７  発振器
１９  トランスデューサ
２１，２２，２３，２４，２６  入力端子
２７，２８  出力端子
【図１】
0004481482.tif 000002
【図２】
0004481482.tif 000003